(57)【要約】【課題】複数の吹出口が設けられた空調ダクトを使用する場合において、吹出口を介しての音や光等の伝搬を抑えることができる建物の空調設備を提供する。【解決手段】空調装置３０で生成される空調空気を複数の部屋１５に供給する空調ダクト３２を備える建物の空調設備は、空調ダクト３２に、空調空気を吹き出す複数の吹出口３５が設けられており、複数の吹出口３５は、空調ダクト３２内の空間であるダクト内空間を挟んで対向する位置にそれぞれ設けられており、かつ互いに異なる部屋１４に空調空気を吹き出す第１吹出口３５と第２吹出口３５とを含んでおり、ダクト内空間には、第１吹出口３５と第２吹出口３５との間となる位置に、第１吹出口３５の側の空間部と第２吹出口３５の側の空間部とを分ける仕切部材５５が設けられている。【選択図】      図６
2015152289.tif 000002
【特許請求の範囲】
【請求項１】
空調装置にて生成される空調空気を複数の部屋に供給する空調ダクトを備え、前記空調ダクトに、前記空調空気を吹き出す複数の吹出口が設けられている建物の空調設備であって、
前記複数の吹出口は、前記空調ダクト内の空間であるダクト内空間を挟んで対向する位置にそれぞれ設けられ、かつ互いに異なる部屋に前記空調空気を吹き出す第１吹出口と第２吹出口とを含んでおり、
前記ダクト内空間には、前記第１吹出口と前記第２吹出口との間となる位置に、前記第１吹出口の側の空間部と前記第２吹出口の側の空間部とを分ける仕切部材が設けられていることを特徴とする建物の空調設備。
【請求項２】
前記空調ダクトは、複数のダクト構造体が通路長手方向に連結されることで構成されており、前記複数のダクト構造体の少なくとも一つに前記仕切部材が設けられている請求項１に記載の建物の空調設備。
【請求項３】
前記空調ダクトは、上下の板部と側方の板部とを有し、これら各板部により前記ダクト内空間を形成するものであり、前記空調ダクトの側方板部に前記第１吹出口と前記第２吹出口とが設けられるとともに、前記上下の板部を繋ぐようにして前記仕切部材が設けられている請求項１又は２に記載の建物の空調設備。
【請求項４】
前記仕切部材は、前記ダクト内空間において、前記第１吹出口及び前記第２吹出口から離れた位置に配置される請求項１〜３のいずれか１項に記載の建物の空調設備。
【請求項５】
前記仕切部材は、前記第１吹出口及び前記第２吹出口に対して平行に配設される板状の部材である請求項１〜４のいずれか１項に記載の建物の空調設備。
【請求項６】
前記第２吹出口の空調空気が導入される第２部屋よりも前記第１吹出口の空調空気が導入される第１部屋で発生する音や光の影響が大きい場合には、前記仕切部材は、前記第２吹出口よりも前記第１吹出口に近接した前記ダクト内空間の位置に設けられる請求項１〜５のいずれか１項に記載の建物の空調設備。
【請求項７】
前記仕切部材は、前記第１吹出口及び前記第２吹出口のそれぞれに設けられている請求項１〜５のいずれか１項に記載の建物の空調設備。
【請求項８】
前記仕切部材は、吸音性能を有している請求項１〜７のいずれか１項に記載の建物の空調設備。
【請求項９】
前記空調ダクトにおいて、前記部屋に設けられたスピーカ又は照明設備に対して、前記第１吹出口及び前記第２吹出口が直線上に並ばない位置となるように、前記第１吹出口及び前記第２吹出口が設けられている請求項１〜８のいずれか１項に記載の建物の空調設備。
【発明の詳細な説明】
【技術分野】
【０００１】
本発明は、建物の空調設備に関する。
【背景技術】
【０００２】
住宅等の建物に設置される空調設備として、空調装置により生成された空調空気が流れる空調ダクトと、空調ダクトを流れる空気を異なる複数の部屋に吹き出す複数の吹出口とを備えたものがある。例えば、廊下上方の天井裏空間に設置された空調ダクト内の空間であるダクト内空間を挟んで対向する位置（側方）に吹出口が設けられた構成が開示されている（特許文献１参照）。
【先行技術文献】
【特許文献】
【０００３】
【特許文献１】特開平１０−１７００４８号公報
【発明の概要】
【発明が解決しようとする課題】
【０００４】
１つの空調ダクトに複数の吹出口を設け、各吹出口から各々異なる部屋への空調空気の吹出を可能とした場合、各部屋の吹出口がダクト内空間を通じて繋げられる。その為、一方の吹出口から空調ダクト内に侵入した音や光が他方の吹出口から漏れることが懸念される。
【０００５】
本発明は、複数の吹出口が設けられた空調ダクトを使用する場合において、吹出口を介しての音や光等の伝搬を抑えることができる建物の空調設備を提供することを主たる目的とするものである。
【課題を解決するための手段】
【０００６】
以下、上記課題を解決するのに有効な手段等につき、必要に応じて作用、効果等を示しつつ説明する。
【０００７】
第１の発明の建物の空調設備は、空調装置にて生成される空調空気を複数の部屋に供給する空調ダクトを備え、空調ダクトに、空調空気を吹き出す複数の吹出口が設けられている建物の空調設備であって、複数の吹出口は、空調ダクト内の空間であるダクト内空間を挟んで対向する位置にそれぞれ設けられ、かつ互いに異なる部屋に空調空気を吹き出す第１吹出口と第２吹出口とを含んでおり、ダクト内空間には、第１吹出口と第２吹出口との間となる位置に、第１吹出口の側の空間部と第２吹出口の側の空間部とを分ける仕切部材が設けられていることを特徴とする。
【０００８】
第１の発明によれば、ダクト内空間に仕切部材を設けたため、２つの吹出口を介しての音や光の通過が抑制される。したがって、異なる部屋間での音や光の漏れに起因する不都合を解消することができる。
【０００９】
第２の発明の建物の空調設備において、空調ダクトは、複数のダクト構造体が通路長手方向に連結されることで構成されており、複数のダクト構造体の少なくとも一つに仕切部材が設けられていることを特徴とする。
【００１０】
第２の発明によれば、複数のダクト構造体のいずれかに仕切部材を設ける構成にすることで、ダクト内空間の任意の位置に仕切部材が設けられる場合にそれを容易に実現できる。つまり、ダクト構造体ごとに、吹出口の有無及びその位置に合わせて、必要に応じて仕切部材を設ければよく、仕切部材の設置が容易となる。
【００１１】
第３の発明の建物の空調設備において、空調ダクトは、上下の板部と側方の板部とを有し、これら各板部により前記ダクト内空間を形成するものであり、空調ダクトの側方板部に第１吹出口と第２吹出口とが設けられるとともに、上下の板部を繋ぐようにして前記仕切部材が設けられていることを特徴とする。
【００１２】
第３の発明によれば、建物の下がり天井部分など、大きさが制限された設置空間に空調ダクトを設置する場合に好適な構成を実現できる。
【００１３】
第４の発明の建物の空調設備において、仕切部材は、ダクト内空間において、第１吹出口及び第２吹出口から離れた位置に配置されることを特徴とする。
【００１４】
第４の発明によれば、仕切部材を、第１吹出口及び第２吹出口から離れた位置に配置することで、第１吹出口又は第２吹出口と仕切部材との間の空調空気の流れが確保され、空調設備による空調機能を妨げることなく、ダクト内空間を挟んで対向する異なる部屋間での音や光の伝搬を抑えることができる。
【００１５】
第５の発明の建物の空調設備において、仕切部材は、第１吹出口及び第２吹出口に対して平行に配設される板状の部材であることを特徴とする。
【００１６】
第５の発明によれば、吹出口に対して板状の仕切部材を平行に配設することで、空調設備からの空調空気の流れを妨げることなく、異なる部屋間での音や光の伝搬を抑えることができる。
【００１７】
第６の発明の建物の空調設備において、第２吹出口の空調空気が導入される第２部屋よりも第１吹出口の空調空気が導入される第１部屋で発生する音や光の影響が大きい場合には、仕切部材は、第２吹出口よりも前記第１吹出口に近接した前記ダクト内空間の位置に設けられることを特徴とする。
【００１８】
第６の発明によれば、第１部屋がリビング等であり、第２部屋が寝室等の場合には、第２部屋よりも第１部屋で発生する音や光の影響が大きいことが想定される。この場合、第２部屋に空調空気を導入する第２吹出口よりも、第１部屋に空調空気を導入する第１吹出口に近接したダクト内空間の位置に仕切部材を配置することで、音や光の発生源となる部屋から、周囲の異なる部屋への音や光の伝搬を抑える効果を高めることができる。
【００１９】
第７の発明の建物の空調設備において、仕切部材は、第１吹出口及び第２吹出口のそれぞれに設けられていることを特徴とする。
【００２０】
第７の発明によれば、複数の吹出口のそれぞれに、個別に仕切部材を設ける場合、異なる部屋間での音や光の伝搬を抑える効果を高めることができる。
【００２１】
第８の発明の建物の空調設備において、仕切部材は、吸音性能を有していることを特徴とする。
【００２２】
第８の発明によれば、仕切部材が吸音性能を有していることで、仕切部材による音の伝搬を抑える効果を高めることができる。
【図面の簡単な説明】
【００２３】
【図１】建物における二階部分の構成を示す概略縦断面図。
【図２】建物における二階部分の間取りを示す平面図。
【図３】空調設備及びその周辺の構成を示す斜視図。
【図４】隣り合うダクト部を分解した状態で示す分解斜視図。
【図５】空調ダクトを長手方向に対して垂直方向から見た模式図。
【図６】建物における二階部分の施工例を示す平面図。
【図７】建物の空調設備の変用例の説明図。
【図８】建物の空調設備の変用例の説明図。
【図９】建物の空調設備の変用例の説明図。
【発明を実施するための形態】
【００２４】
〔第１の実施形態〕
以下、本発明を具体化した一実施形態について図面を参照しつつ説明する。本実施形態では、本発明の空調設備を、鉄骨ラーメン構造を有する二階建てのユニット式建物において具体化している。ユニット式建物は、梁及び柱を有してなる複数の建物ユニットを備え、それら各建物ユニットが互いに組み合わされることにより構成されている。図１は建物における二階部分の構成を示す概略縦断面図であり、図２は二階部分の間取りの例を示す平面図である。
【００２５】
図１，図２に示すように、住宅等の建物１０は、一階部分１１と二階部分１２とを有する二階建ての建物１０となっており、二階部分１２の上方には陸屋根よりなる屋根部１３が設けられている。建物１０の二階部分１２には、屋内空間として、複数の部屋１５と廊下１６と機械室１７とが設けられている。廊下１６は、各部屋１５と機械室１７とを繋いでおり、その四方が間仕切壁１８によって仕切られている。間仕切壁１８には、廊下１６と部屋１５との間を出入りするための出入口２１ａと、廊下１６と機械室１７との間を出入りするための出入口２１ｂとが設けられている。それら各出入口２１ａ，２１ｂにはそれぞれドア２２ａ，２２ｂが設けられている。
【００２６】
二階部分１２の天井部には、二階天井２４が設けられている。二階天井２４の上方は天井裏空間２５となっており、この天井裏空間２５が二階天井２４により屋内空間と上下に仕切られている。天井裏空間２５は、二階天井２４と屋根部１３との間に設けられており、その点からすると天井裏空間２５を屋根裏空間ということもできる。
【００２７】
二階天井２４は、第１天井面材２７と、その第１天井面材２７よりも低い位置に設けられた第２天井面材２８とを備える。これら各天井面材２７，２８はいずれも、石膏ボードにより構成されている。第１天井面材２７は、各部屋１５と機械室１７とに跨がって設けられており、各部屋１５及び機械室１７の天井面を形成している。第１天井面材２７は、天井梁３７の下面に取り付けられた野縁３８により上方から支持されている。
【００２８】
第２天井面材２８は、廊下１６に設けられており、廊下１６の天井面を形成している。第２天井面材２８は、いわゆる下がり天井となっており、それにより廊下１６は各部屋１５及び機械室１７よりも天井高さが低くされた低天井空間となっている。第２天井面材２８は、廊下１６を挟んで対向する間仕切壁１８の間に架け渡された状態で設けられている。
【００２９】
廊下１６では、第２天井面材２８に加えて第１天井面材２７が設けられている。したがって、廊下１６では、第１天井面材２７と第２天井面材２８とが上下に並んで配置されており、その天井裏空間２５が第１天井面材２７により上下に仕切られている。この場合、天井裏空間２５において第１天井面材２７よりも上側が上側空間部２５ａとなっており、第１天井面材２７よりも下側が下側空間部２５ｂとなっている。
【００３０】
建物１０には、屋内空間の空調を行うための空調設備３０が設けられている。以下、空調設備３０の構成について説明する。図３は、空調設備３０及びその周辺の構成を示す斜視図であり、便宜上、紙面手前側の間仕切壁１８や二階天井２４等の図示を省略している。
【００３１】
図１〜図３に示すように、空調設備３０は、空調空気（暖気及び冷気）を生成する空調装置３１と、空調装置３１に接続された空調ダクト３２と、空調ダクト３２に接続された吹出チャンバ３３とを備えている。空調装置３１は、機械室１７に設置された室内機として構成されている。空調装置３１は、廊下１６から機械室１７に流れ込む空気を還気として取り込み、その還気をもとに空調空気を生成する。そして、空調装置３１は、その生成した空調空気を空調ダクト３２へ供給する。廊下１６から機械室１７への空気の流れ込みは例えば出入口２１ｂのドア２２ｂのアンダーカット部等を通じて行われる。
【００３２】
空調ダクト３２は、廊下１６上方の天井裏空間２５に設置されている。空調ダクト３２は、天井裏空間２５の下側空間部２５ｂに設置され、その下側空間部２５ｂにおいて廊下１６の通行方向（長手方向）に沿って延びるように配置されている。空調ダクト３２は、間仕切壁１８を貫通して廊下１６の上方位置から機械室１７に突出しており、その突出部分が接続ダクト３４を介して空調装置３１に接続されている。
【００３３】
吹出チャンバ３３は、空調ダクト３２に対して横並びに配置され、当該空調ダクト３２に対して側方から接続されている。吹出チャンバ３３は、廊下１６と隣り合う各部屋１５に対応した位置となるように空調ダクト３２に配置されている。ここでは空調ダクト３２の側方の４か所と、空調ダクト３２の前方（廊下１６の突き当り）の１か所に、それぞれ吹出チャンバ３３が設けられている。
【００３４】
吹出チャンバ３３は、空調空気を各部屋１５に向けて吹き出す複数の吹出口３５を有している。間仕切壁１８には天井裏空間２５（下側空間部２５ｂ）と部屋１５とを連通する連通孔３６が形成され、その連通孔３６に吹出チャンバ３３が吹出口３５を部屋１５に向けた状態で挿通されている。
【００３５】
吹出チャンバ３３の吹出口３５側（部屋１５側）には吹出グリル３９が設けられている。吹出グリル３９は、横方向に長い矩形枠状に形成されており、その横幅が吹出チャンバ３３の横幅よりも大きくなっている。吹出グリル３９は、間仕切壁１８に設けられた収容領域４１に収容されており、その収容状態で間仕切壁１８に取り付けられている。この吹出グリル３９により、吹出チャンバ３３及び連通孔３６が部屋１５側から覆い隠されている。
【００３６】
空調ダクト３２は、横並びに配置された複数のダクト部４０を有して構成されている。このダクト部４０がダクト構造体に相当する。図４は、隣り合うダクト部４０を分解した状態で示す分解斜視図であり、図５は、空調ダクト３２をその長手方向に直交する方向から見た模式図である。
【００３７】
図４に示すように、ダクト部４０は、ポリスチレンフォーム等の発泡スチロールで直方体状に形成されている。ダクト部４０は、その内側に空調空気が流れるダクト内空間である内部通路４３を有しており、全体として四角筒状をしている。すなわち、ダクト部４０は、内部通路４３を囲んで設けられる上壁部４２ａ、下壁部４２ｂ及び一対の側壁部４２ｃを有している。これら各壁部４２ａ〜４２ｃのうち、上壁部４２ａ及び下壁部４２ｂには外面側に突出する補強用のリブ４５が設けられているのに対し、側壁部４２ｃにはかかる補強用のリブ４５が設けられていない。なお紙面左側のダクト部４０の側壁部４２ｃには、吹出口３５を形成する開口が設けられている。
【００３８】
内部通路４３は、ダクト部４０における両側の端面部４２ｄ、詳しくは各壁部４２ａ〜４２ｃを挟んで対向する両側の端面部４２ｄにおいてそれぞれ外部に開放されている。隣り合うダクト部４０は、互いの端面部４２ｄを対向させた状態で接続されており、その接続状態においてそれら各ダクト部４０の内部通路４３が互いに連通されている。
【００３９】
また図４，図５に示すように、ダクト部４０の内部通路４３には仕切部材５５が設置される。仕切部材５５は、各壁部４２ａ〜４２ｃと同じ材料である発泡スチロール（ＥＰＳ等）、又は、各壁部４２ａ〜４２ｃと異なる材料であるグラスウール等の無機繊維系の材料、木材、金属材料等を用いて板状に形成されている。ここでは、仕切部材５５は、ダクト部４０の長手方向の長さおよび下壁部４２ｂから上壁部４２ａに到る高さを有している。ただし、仕切部材５５は、ダクト部４０の両側の側壁部４２ｃに設けられる開口部（吹出口３５）の間となる位置に設けられるものであればよく、ダクト部４０の長手方向の長さよりも短くてもよい。
【００４０】
空調ダクト３２内に仕切部材５５を設置する場合、空調ダクト３２のダクト内空間が長手方向に二分割される。この場合、仕切部材５５を介して一方の空間にある吹出口３５（吹出チャンバ３３）から侵入した音や光が、他方の空間にある吹出口３５（吹出チャンバ３３）から漏れることが抑えられる。
【００４１】
以上の構成のダクト部４０は、建物１０の二階部分１２の間取りに合わせて複数個が連結されることによって、廊下１６の天井裏空間２５（上側空間部２５ａ）に、廊下１６の通行方向にそって延びる空調ダクト３２として配置される。なお二階部分１２に設けられた各部屋１５に対応する位置に配置されるダクト部４０には、その側壁部４２ｃに吹出チャンバ３３が取り付けられる。なお吹出チャンバ３３は、間取りに応じて、側壁部４２ｃの一方に設けられたり、側壁部４２ｃの両側に設けられたりする。
【００４２】
次に以上の構成を備える空調設備３０の施工例を説明する。図６に建物１０における二階部分１２の施工例の平面図を示す。図６では、二階部分１２に、第１部屋１５ａ、第２部屋１５ｂ、第３部屋１５ｃ、第４部屋１５ｄおよび第５部屋１５ｅが設けられている。具体的には、廊下１６の一方の間仕切壁１８側に沿って第１部屋１５ａと第３部屋１５ｃとが横並びに配置され、他方の間仕切壁１８側に沿って第３部屋１５ｃと第４部屋１５ｄとが横並びに配置され、廊下１６の突き当りに第５部屋１５ｅが配置されている。なお、廊下１６を挟んで第１部屋１５ａ及び第３部屋１５ｃが対向する位置に配置されており、第２部屋１５ｂ及び第４部屋１５ｄが対向する位置に配置されている。また各部屋１５ａ〜１５ｅの吹出口３５に、吹出チャンバ３３ａ〜３３ｅが設けられている。
【００４３】
この際、各部屋１５ａ〜１５ｅに吹出口３５が向くように、複数のダクト部４０が接続されているとともに、連結された複数のダクト部４０のうち吹出口３５が形成されたダクト部４０においては、そのダクト内空間の長手方向に平行に仕切部材５５が設けられている。これにより、第１部屋１５ａ及び第３部屋１５ｃとの間、および第２部屋１５ｂ及び第４部屋１５ｄとの間のダクト内空間に仕切部材５５が位置されることになり、例えば、一方の部屋１５ａ，１５ｃで発生した音や光が、吹出口３５及び内部通路４３を介して、他方の部屋１５ｂ，１５ｄに伝搬されることが抑えられる。
【００４４】
以上、詳述した本実施形態の構成によれば、以下の優れた効果が得られる。
【００４５】
・１つの空調ダクト３２に複数の吹出口３５を設け、各吹出口３５から各々異なる部屋１５への空調空気の吹き出しを可能とした。これにより、空調設備３０について構成の簡素化が可能となる。ただしこの場合、ダクト内空間を挟んで対向する位置に異なる吹出口３５がそれぞれ設けられていると、一方の吹出口３５から空調ダクト内に浸入する音や光が他方の吹出口３５に漏れ出ることが懸念される。この点、ダクト内空間に仕切部材５５を設けたため、２つの吹出口３５を介しての音や光の通過が抑制される。したがって、異なる部屋１５間での音や光の漏れに起因する不都合を解消することができる。
【００４６】
・複数のダクト部４０のいずれかに仕切部材５５を設ける構成にすることで、ダクト内空間の任意の位置に仕切部材５５が設けられる場合にそれを容易に実現できる。つまり、ダクト部４０ごとに、吹出口３５の有無及びその位置に合わせて、必要に応じて仕切部材５５を設ければよく、仕切部材５５の設置が容易となる。
【００４７】
・空調ダクト３２を、上壁部４２ａ、下壁部４２ｂ及び側壁部４２ｃからなる板部で形成し、これら各板部によりダクト内空間を形成し、上壁部４２ａと下壁部４２ｂとを繋ぐようにして仕切部材５５を設けた。この場合、建物１０の下がり天井部分など、大きさが制限された設置空間に空調ダクト３２を設置する場合に好適な構成を実現できる。
【００４８】
・仕切部材５５を、各吹出口３５から離れた位置に配置する場合、吹出口３５と仕切部材５５との間の空調空気の流れが確保され、空調設備３０による空調機能を妨げることなく、ダクト内空間を挟んで対向する異なる部屋１５間での音や光の伝搬を抑えることができる。
【００４９】
・吹出口３５に対して、板状の仕切部材５５を平行に配設する場合、空調設備３０からの空調空気の流れを妨げることなく、異なる部屋１５間での音や光の伝搬を抑えることができる。
【００５０】
〔他の実施形態〕
・互いに隣り合う部屋１５にそれぞれ空調空気を供給する場合において、その隣り合う部屋１５の一方に、又は隣り合う部屋１５の両方に跨るようにして下がり天井を設ける構成であってもよい。この構成では、各部屋１５の境界部分に沿って空調ダクト３２を配設し、その空調ダクト３２から各部屋１５に対して吹出口３５を介して空調空気を供給する。そしてこの構成において上記のとおり仕切部材５５を設けるとよい。
【００５１】
・下がり天井の側面部は鉛直方向に延びるように設けられる以外に、斜め下方を向くようにして設けられるものであってもよい。この場合、空調ダクト３２の側方板部は、下がり天井の側面部に合わせて斜め下方を向くように形成されているとよい。
【００５２】
・空調ダクト３２は、円筒状をなすものであってもよい。本構成でも、空調ダクト３２において複数の吹出口３５のいずれかが、ダクト内空間を挟んで対向する位置にそれぞれ設けられる場合に、それら各吹出口３５の間となる位置に仕切部材５５が設けられているとよい。
【００５３】
・図７の変用例に示されるように、仕切部材５５は、吹出チャンバ３３毎に個別に設けてもよい。この場合、仕切部材５５を吹出口３５に比較的近い位置に配置することができる。この場合、吹出口３５から侵入した音や光が、ダクト内空間を伝搬することが抑えられ、ひいては対向する部屋１５間での音や光の漏れに起因する不都合を解消することができる。
【００５４】
・仕切部材５５は側壁部４２ｃに対して平行に配置されていなくてもよい。例えば図８の変容例に示されるように、仕切部材５５と側壁部４２ｃとの距離が、空調空気の流れの上流側と下流側とで異なるようにしてもよい。仕切部材５５を内部通路４３の長手方向に対して斜めに取り付ける場合、内部通路４３内における所定方向への音や光の伝搬を抑える効果を高めることができる。
【００５５】
・部屋１５の用途に応じて、仕切部材５５の板厚が調整されてもよい。例えば、楽器などが設置される部屋１５から空調ダクト３２内に侵入する音の影響が大きくなることが想定される。この場合、当該部屋１５に設けられた吹出口３５に対して設ける仕切部材５５の板厚を厚くすることで、音の漏れ等に起因する不具合を解消させる効果を高めることができる。
【００５６】
・第１部屋１５ａがリビング等であり、第２部屋１５ｂが寝室等の場合には、第２部屋１５ｂよりも第１部屋１５ａで発生する音や光の影響が大きいことが想定される。この場合、第２部屋１５ｂに空調空気を導入する吹出口３５よりも、第１部屋１５ａに空調空気を導入する吹出口３５に近接したダクト内空間の位置に仕切部材５５を配置する。この場合、音や光の発生源となる部屋１５から、周囲の異なる部屋１５への音や光の伝搬を抑える効果を高めることができる。
【００５７】
・仕切部材５５は空調ダクト３２の長手方向に沿って、できるだけ長く配置されることが好ましい。図９の変用例に示されるように、内部通路４３内の長手方向に仕切部材５５が隙間なく配置されてもよい。この場合、一方の部屋１５で生じた音や光が仕切部材５５を回り込んで、他方の部屋１５に伝搬することが抑えられ、ひいては異なる部屋１５間での音や光の漏れに起因する不都合を解消する効果を高めることができる。
【００５８】
・音の伝搬を抑制する効果を高めるために、仕切部材５５に吸音材を取り付けてもよい。この場合、異なる部屋１５間での音の伝搬に起因する不都合を解消する効果を高めることができる。なお、仕切部材５５自体が所定の吸音性能を有する材料で形成されていてもよい。
【００５９】
・光の伝搬を抑制する効果を高めるために、仕切部材５５に黒色のもの（色つきのもの）を使用してもよい。この場合、光の伝搬を抑制する効果を高めることができる。
【００６０】
・仕切部材５５は少なくとも吹出口３５から侵入した光の回折による伝搬を抑えることができる範囲に設置する。この場合、光の伝搬を抑制する効果を高めることができる。
【００６１】
・仕切部材５５として、音響透過損失が大きな材料の他、音を吸収しやすい吸音材料を用いてもよい。
【００６２】
・内部通路４３内に、仕切部材５５を保持するための部材を設けてもよい。例えば、一対の長尺状のレールを、内部通路４３の長手方向に平行に取り付ける。この際、一対のレールの間隔が仕切部材５５の厚さとなるようにする。この場合、内部通路４３内での仕切部材５５の位置ずれを抑える効果を高めることができる。
【００６３】
・一方の吹出口３５（第１吹出口）から侵入した音や光が、ダクト内空間を介して他方の吹出口３５（第２吹出口）から漏れることを抑えるために、空調ダクト３２における第１吹出口と第２吹出口の取り付け位置の位置関係が決定されてもよい。具体的には、空調ダクト３２において、部屋１５に設けられた音響設備（スピーカ）又は照明設備（照明光源）に対して、第１吹出口及び第２吹出口が直線上に並ばない位置に、これら第１吹出口及び第２吹出口を設ける。例えば、第１吹出口から空調空気が供給される部屋１５に音響設備及び照明設備が設けられている場合、第１吹出口を介してダクト内空間に進入した音及び光の進行方向を避けた空調ダクト３２の位置に第２吹出口を設ける。この場合、第１吹出口から侵入した音又は光が第２吹出口を介して異なる部屋１５に漏れることを抑えることができる。なおこの場合にも、第１吹出口と第２吹出口との間に仕切部材５５が設けられることで、第１吹出口及び第２吹出口を介しての音又は光の伝搬を抑える効果を高めることができる。
【符号の説明】
【００６４】
１０…建物、１５…部屋、３０…空調設備、３２…空調ダクト、３５…吹出口、５５…仕切部材。
【図１】
2015152289.tif 000003
【図２】
2015152289.tif 000004
【図３】
2015152289.tif 000005
【図４】
2015152289.tif 000006
【図５】
2015152289.tif 000007
【図６】
2015152289.tif 000008
【図７】
2015152289.tif 000009
【図８】
2015152289.tif 000010
【図９】
2015152289.tif 000011